(57)【特許請求の範囲】
【請求項１】
斜張橋の主塔上部に設けられ、該主塔から斜張橋の軸線方向（以下、橋軸方向）における一方側及び他方側の双方へ斜め下方に張架されて橋桁を吊り支持する複数の斜ケーブルの定着構造であって、
橋軸方向の一方側に張架される前記斜ケーブルの上端部が定着される第１のコンクリートブロックと、
前記第１のコンクリートブロックと橋軸方向に間隔を開けて併設され、橋軸方向の他方側に張架される前記斜ケーブルの上端部が定着される第２のコンクリートブロックと、
前記第１のコンクリートブロックと前記第２のコンクリートブロックとの両側面に密接し、双方のコンクリートブロックを連結するように配置された２つの鋼板と、
前記２つの鋼板と前記第１のコンクリートブロック又は前記第２のコンクリートブロックを貫通し、緊張力が導入されて前記２つの鋼板が前記第１のコンクリートブロック又は前記第２のコンクリートブロックを挟むように締め付ける複数の緊張材と、を有し、
前記第１のコンクリートブロック、前記第２のコンクリートブロック及び前記鋼板が、前記橋桁又は該橋桁を支持する橋脚上に立設された前記主塔の脚部上に支持されていることを特徴とする斜ケーブルの定着構造。
【請求項２】
前記２つの鋼板の双方は、上下方向に配列された複数の部分に分割されたものであり、
それぞれの分割部分に沿った位置で、対となる一方側への前記斜ケーブルと他方側への前記斜ケーブルの１対又は複数対が定着されており、
前記第１のコンクリートブロック及び前記第２のコンクリートブロックは、前記鋼板の各分割部分の境界の上下にわたって連続するようにコンクリートが打設されたものであることを特徴とする請求項１に記載の斜ケーブルの定着構造。
【請求項３】
前記鋼板の前記第１のコンクリートブロック及び前記第２のコンクリートブロックと密接する領域には、ずれ止め部材が固定されてコンクリート内に埋め込まれており、
該ずれ止め部材は、前記鋼板から突き出すように固定された複数の板状のリブと、  該リブのそれぞれに設けられた貫通孔に挿通され、複数の前記リブにわたって連続した鉄筋又はモルタルが内側に充てんされた鋼管と、を有することを特徴とする請求項１又は請求項２に記載の斜ケーブルの定着構造。
【請求項４】
前記第１のコンクリートブロック及び前記第２のコンクリートブロックを挟み込むように配置された前記鋼板の外側面と密接するように外側コンクリート部が設けられ、
前記緊張材は、前記外側コンクリート部に定着されていることを特徴とする請求項１から請求項３までのいずれかに記載の斜ケーブルの定着構造。
【発明の詳細な説明】
【技術分野】
【０００１】
本発明は、橋梁の一形式である斜張橋の主塔上部に形成され、橋桁を吊り支持するための斜ケーブルを定着する構造に関するものである。
【背景技術】
【０００２】
斜張橋は、橋脚上に立設された主塔上部から橋桁の軸線方向（以下、橋軸方向）における斜め下方に斜ケーブルを張架し、この斜ケーブルによって桁を吊り支持するものである。そして、大規模な斜張橋ではほとんどの場合、主塔から橋軸方向の前後双方に複数の斜ケーブルを張架して橋脚の両側に伸びた橋桁を支持する。このような斜張橋では、主塔の上部に橋軸方向の双方からのケーブルが定着されるとともに、複数の斜ケーブルが上下方向に配列して定着される。特に、一般にエクストラドーズド形式と称される斜張橋では主塔の高さが小さく、複数のケーブルの上下方向における間隔が小さくなっているため、主塔の上部では多くの斜ケーブルが小さな間隔で定着される。このため、主塔上部には、小さな範囲に複数の斜ケーブルから大きな引張力が伝達される。また、両側に張架された双方のケーブル間では、引張力が互いの間で伝達され、引張力の水平方向成分を相殺して、主塔の全体には大きな水平方向力が作用しない構造としている。
【０００３】
このような構造を備えた斜ケーブルの定着構造が、例えば特許文献１又は特許文献２に開示されている。
【０００４】
特許文献１には、主塔上部に橋軸方向の双方から斜ケーブルが対峙して定着される箱状の鋼殻部を設置し、この鋼殻部によって橋軸方向の双方に張架された斜ケーブルの引張力を相互間で伝達する構造が記載されている。
特許文献２に記載の斜ケーブルの定着構造は、橋軸方向に２枚の鋼側板を配置し、これらの周囲を巻きたてるようにコンクリート部材が形成されている。橋軸方向の双方に張架された斜ケーブルは、２枚の鋼側板の間で鋼からなる位置決め板を介してコンクリート部材に定着される。そして、双方に張架された斜ケーブルの引張力の水平成分は、該コンクリート部材及びコンクリート部材と一体となった鋼側板を介して双方の斜ケーブルの相互間で伝達されるものとなっている。
【先行技術文献】
【特許文献】
【０００５】
【特許文献１】特開２００２−３４８８１３号公報
【特許文献２】特開２００７−５１４３２号公報
【発明の概要】
【発明が解決しようとする課題】
【０００６】
特許文献１に記載されている斜ケーブルの定着構造では、斜ケーブルが定着される部分に箱状に形成された鋼部材が用いられるので、鋼材の重量が大きくなるとともに、鋼部材の形成に溶接等の加工が多く必要となる。また、特許文献２に記載されている斜ケーブルの定着構造では、斜ケーブルがコンクリート部材に定着され、２つの鋼側板の外側面に設けられたスタッドジベルを介してコンクリート部材から鋼側板に引張力が伝達されるものとなっている。このため、コンクリート部材の寸法が大きくなり、コンクリート部材を補強するために複雑な鉄筋の配置が必要となっている。
【０００７】
本発明は、上記のような課題に鑑みてなされたものであり、その目的は、主塔上部における斜ケーブル定着部の施工を容易化するとともに、斜ケーブル定着部の寸法を小さくすることが可能となる斜ケーブルの定着構造を提供することである。
【課題を解決するための手段】
【０００８】
上記課題を解決するために、請求項１に記載の発明は、  斜張橋の主塔上部に設けられ、該主塔から斜張橋の軸線方向（以下、橋軸方向）における一方側及び他方側の双方へ斜め下方に張架されて橋桁を吊り支持する複数の斜ケーブルの定着構造であって、  橋軸方向の一方側に張架される前記斜ケーブルの上端部が定着される第１のコンクリートブロックと、  前記第１のコンクリートブロックと橋軸方向に間隔を開けて併設され、橋軸方向の他方側に張架される前記斜ケーブルの上端部が定着される第２のコンクリートブロックと、  前記第１のコンクリートブロックと前記第２のコンクリートブロックとの両側面に密接し、双方のコンクリートブロックを連結するように配置された２つの鋼板と、  前記２つの鋼板と前記第１のコンクリートブロック又は前記第２のコンクリートブロックを貫通し、緊張力が導入されて前記２つの鋼板が前記第１のコンクリートブロック又は前記第２のコンクリートブロックを挟むように締め付ける複数の緊張材と、を有し、  前記第１のコンクリートブロック、前記第２のコンクリートブロック及び前記鋼板が、前記橋桁又は該橋桁を支持する橋脚上に立設された前記主塔の脚部上に支持されている斜ケーブルの定着構造を提供する。
【０００９】
この斜ケーブルの定着構造では、斜ケーブルの引張力は第１のコンクリートブロック及び第２のコンクリートブロックにそれぞれ伝達される。そして、２つのコンクリートブロックを挟み込むように２つの鋼板が配置され、緊張材によって締め付けられているので、鋼板とコンクリートブロックとが強固に一体化され、斜ケーブルの引張力が鋼板に伝達される。２つの鋼板は、２つのコンクリートブロックを互いに連結するものとなっているので、橋軸方向の双方に張架された斜ケーブルの引張力はコンクリートブロックから２つの鋼板を介して相互間で伝達され、水平方向の成分がほぼ相殺される。
また、剛性の大きい鋼板でコンクリートブロックを挟み込んで締め付けるので、コンクリートブロックには広い範囲に圧縮力が分布して作用し、コンクリートブロックに引張応力が発生するのを有効に抑制することができる。したがって、少ない鉄筋量でコンクリートブロックを十分に補強することができ、施工性が向上するとともに、両側へ張架された斜ケーブルの引張力を相互間で伝達する構造部分を簡単な形状で小さな寸法とすることができる。
【００１０】
請求項２に係る発明は、請求項１に記載の斜ケーブルの定着構造において、  前記２つの鋼板の双方は、上下方向に配列された複数の部分に分割されたものであり、  それぞれの分割部分に沿った位置で、対となる一方側への前記斜ケーブルと他方側への前記斜ケーブルの１対又は複数対が定着されており、  前記第１のコンクリートブロック及び前記第２のコンクリートブロックは、前記鋼板の各分割部分の境界の上下にわたって連続するようにコンクリートが打設されたものとする。
【００１１】
この斜ケーブルの定着構造では、鋼板が複数の部分に分割されていることにより、ぞれぞれの分割部分の重量を小さくすることができ、これらの鋼板を主塔上部に吊り上げて設置する作業が容易化される。また、対となる一方側への斜ケーブルと他方側への斜ケーブルとは、水平方向に連続する鋼板によって引張力の水平方向成分が伝達され、鋼板が分割されることによる影響はない。一方、斜ケーブルに作用する引張力の鉛直方向成分は、上下に連続するコンクリートブロックによって橋桁又は橋脚に伝達され、分割された鋼板の境界部分では鉛直方向の力を伝達する必要はなく、溶接等によって接合することを要しない。
【００１２】
請求項３に係る発明は、請求項１又は請求項２に記載の斜ケーブルの定着構造において、  前記鋼板の前記第１のコンクリートブロック及び前記第２のコンクリートブロックと密接する領域には、ずれ止め部材が固定されてコンクリート内に埋め込まれており、  該ずれ止め部材は、前記鋼板から突き出すように固定された複数の板状のリブと、  該リブのそれぞれに設けられた貫通孔に挿通され、複数の前記リブにわたって連続した鉄筋又はモルタルが内側に充てんされた鋼管と、を有するものとする。
【００１３】
この斜ケーブルの定着構造では、ずれ止め部材によって鋼板とコンクリートブロックとが強固に一体化される。また、ずれ止め部材は板状となった複数のリブを有するものであり、鋼板の剛性が増大する。したがって、緊張材によって締め付けたときに、コンクリートブロックにはより広く分布して圧縮応力が導入され、コンクリートブロックに引張応力が発生するのを抑制することができる。
【００１４】
請求項４に係る発明は、請求項１から請求項３までのいずれかに記載の斜ケーブルの定着構造において、  前記第１のコンクリートブロック及び前記第２のコンクリートブロックを挟み込むように配置された前記鋼板の外側面と密接するように外側コンクリート部が設けられ、  前記緊張材は、前記外側コンクリート部に定着されているものとする。
【００１５】
この斜ケーブルの定着構造では、鋼板の外側面に密接する外側コンクリート部に緊張材が定着されるので、緊張材による鋼板を締め付ける力は外側コンクリート部を介して鋼板に伝達され、より均等に近い状態に分布して鋼板に作用する。また、外側コンクリート部に定着することによって緊張材の定着部をコンクリート内に埋め込むことが容易となり、定着部の腐食が抑制される。
【発明の効果】
【００１６】
以上説明したように、本発明に係る斜ケーブルの定着構造では、主塔上部の寸法を小さくすることができるとともに、施工性が良好な構造とすることができる。
【図面の簡単な説明】
【００１７】
【図１】本発明の一実施形態である斜ケーブルの定着構造を好適に採用することができるエクストラドーズド形式の斜張橋を示す概略側面図である。
【図２】図１に示す斜張橋の主塔であって、本発明の一実施形態である斜ケーブルの定着構造を採用した主塔の側面図及び正面図である。
【図３】図２に示す主塔の上部で作用されている斜ケーブルの定着構造を示す平断面図及び立断面図である。
【図４】鋼板とコンクリートブロックとが密接する部分に設けられるずれ止め部材の他の例を用いた構造の平断面図及びこのずれ止め部材を示す概略斜視図である。
【図５】図２及び図３に示す主塔に外装を施した例を示す平断面図である。
【図６】本発明の他の実施形態である斜ケーブルの定着構造を示す平断面図である。面図である。
【発明を実施するための形態】
【００１８】
以下、本発明の実施形態を図に基づいて説明する。
図１は、本発明の定着構造を好適に採用することができるエクストラドーズド形式の斜張橋を示す概略側面図である。
この斜張橋は、橋台１及び橋脚２の上に架け渡された橋桁３と、橋脚２上に立ち上げられた主塔４と、この主塔４の上部から橋桁３の軸線方向における双方の斜下方に張架され、橋桁３を斜め方向に吊り支持する複数の斜ケーブル５，６とを有するものである。
エクストラドーズド形式の斜張橋は橋桁３の曲げ剛性を比較的大きくするとともに、主塔４の高さを小さく抑えたものであり、斜ケーブル５，６の傾斜角は小さくなっている。
【００１９】
上記橋桁３は、橋脚２の直上に柱頭部横桁（図示しない）を有し、橋桁３と橋脚２とは一体に連続してラーメン構造を形成するものとなっている。そして、上記主塔４は、橋桁３の柱頭部横桁が設けられた位置の上に、一体に連続して立ち上げられたものである。
なお、上記橋桁３はプレストレスとコンクリートからなる箱型断面となっているが、橋桁３の構造はこのような構造に限定されるものではなく、コンクリートと鋼との合成構造となっているもの、ウエブにプレキャスト板を用いたもの、トラス構造となったもの等、他の形態の橋桁であってもよい。また、鋼によって形成された箱桁等であっても良い。
【００２０】
図２は図１に示す斜張橋の主塔４の側面図及び正面図である。また、図３はこの主塔４の斜ケーブル定着部における平断面図及び橋軸方向の立断面図である。
この主塔４は、橋脚２と一体となった橋桁３から連続して立ち上げられた脚部７と、この脚部上に設けられたケーブル定着部８とを備え、ケーブル定着部８は、斜ケーブル５，６が定着される第１のコンクリートブロック１１及び第２のコンクリートブロック１２と、これらのコンクリートブロックを連結するように設けられた２つの鋼板１３，１４と、これらの鋼板１３，１４とコンクリートブロック１１，１２とを締め付ける緊張材１５と、を有するものとなっている。
【００２１】
上記脚部７は、鉄筋コンクリート構造となっており、橋桁３と一体に連続し、斜ケーブル５，６から作用する鉛直方向の力を、橋桁３を介して橋脚２に伝達するものである。
上記ケーブル定着部８が備える２つのコンクリートブロック１１，１２は橋軸方向に間隔をあけて配列され、一方側へ張架される斜ケーブル５が第１のコンクリートブロック１１に定着され、他方側へ張架される斜ケーブル６が第２のコンクリートブロック１２に定着されている。それぞれのコンクリートブロック１１，１２の平断面の形状はほぼ矩形となっており、これらのコンクリートブロック１１，１２の両側面にこれらのコンクリートブロック１１，１２を連結するように連続する鋼板１３，１４が固定されている。つまり、鋼板１３，１４はコンクリートブロック１１，１２の橋軸方向とほぼ平行となった鉛直面に密接して固定され、橋軸方向における一方の端縁から所定の範囲が第１のコンクリートブロック１１に固定され、他方の端縁から所定の範囲が第２のコンクリートブロック１２に固定されている。そして、このような鋼板１３，１４がコンクリートブロック１１，１２の両側面に設けられ、図３（ａ）に示すように、橋軸方向にほぼ並行でほぼ鉛直に配置された２つの鋼板１３，１４の間に、橋軸方向に間隔を開けて配置された２つのコンクリートブロック１１，１２が挟みこむように固定されている。
【００２２】
斜ケーブル５，６は、上方の端部が上記第１のコンクリートブロック１１又は第２のコンクリートブロック１２を貫通し、２つのコンクリートブロック１１，１２と２つの鋼板１３，１４とで囲まれた空間１６内で、コンクリートブロック１１，１２に定着されている。コンクリートブロック１１，１２の斜ケーブル５，６が貫通する位置には、管部材１７が埋め込まれており、この管部材１７に斜ケーブル５，６の上方の端部を挿通し、所定の緊張力を導入した状態で定着具１８により定着されたものである。
第１のコンクリートブロック１１及び第２のコンクリートブロック１２にはそれぞれ複数で同数の斜ケーブルが定着されており、上段に定着された斜ケーブルから下段に定着されたケーブルにかけて徐々に傾斜角が増大するように張架される。第１のコンクリートブロック１１に定着される斜ケーブル５と第２のコンクリートブロック１２に定着される斜ケーブル６とは、それぞれが対となっており、これらの対となる斜ケーブル間で、鋼板を介して引張力が伝達される。
【００２３】
上記鋼板１３，１４は、厚さが２２ｍｍとなっており、対となる斜ケーブル５，６の引張力の水平方向成分を互いに伝達することができる十分な強度を有するものとなっている。そして、上下方向には、図２（ａ）、図３（ｂ）に示すように水平方向の分割線１９によって複数の部分に分割され、それぞれの部分に１対又は２対以上の斜ケーブル５，６から引張力が伝達される。鉛直方向には分割された部分間の境界部で、上段の分割部分の下端縁と下段の分割部分の上端縁とが突き合わされるように対向しているが分離されており、鉛直方向の力を伝達するものとはなっていない。したがって、対向する下端縁と上端縁とは精密な加工は施されていない。
なお、分割部分のそれぞれを所定の位置に配置した後、上段の分割部分の下端縁と下段の分割部分の上端縁とを溶接等によって接合してもよい。
【００２４】
上記鋼板１３，１４には、緊張材１５を貫通させる開口が所定の位置に設けられるとともに、コンクリートブロック１１，１２との密接する面にはずれ止め部材として複数のスタッドジベル２１が取り付けられている。これらのシタッドジベル２１がコンクリートに埋め込まれることによって鋼板１３，１４とコンクリートブロック１１，１２とが互いにずれないように強固に固定される。
【００２５】
上記第１のコンクリートブロック１１及び第２のコンクリートブロック１２は、主塔４を構築する現場でコンクリートを打設して形成されたものである。これらのコンクリートブロック１１，１２の形成は次のように行うことができる。
両側の鋼板１３，１４を所定の位置に設置し、これらの間に、コンクリートに埋め込まれる鉄筋、緊張材を挿通するシース及び斜ケーブルを挿通する管部材１７を配置するとともに、橋軸方向の両端面を形成する型枠を組み立てる。また、２つの鋼板１３，１４の間で斜ケーブルの定着面を形成する型枠を組み立てる。そして、コンクリートを双方の鋼板１３，１４と密接するように打設してこれらの鋼板１３，１４と一体となるコンクリートブロック１１，１２を形成することができる。上記コンクリートは、鋼板１３，１４の分割線１９の上下にわたって連続するように打設するものである。
なお、斜ケーブル５，６の定着面を形成する型枠は、２つの鋼板１３，１４を連結するように接合された位置決め鋼板を用いることもできる。位置決め鋼板は、傾斜して配置される斜ケーブル５，６の軸線と直角となる定着面と対応した形状で、斜ケーブル５，６の定着位置に開口が設けられたものであり、打設したコンクリートと一体となって定着部の一部を形成するものとなる。
【００２６】
上記緊張材１５には鋼棒が用いられており、鋼板１３，１４に設けられた開口及びコンクリートブロックに埋め込まれたシースを貫通し、両端部がそれぞれ鋼板１３，１４の側面から突き出している。そして、２つの鋼板１３，１４間に打設したコンクリートが硬化し、十分な強度を有するコンクリートブロック１１，１２となった後に緊張力を導入し、支圧板２２及びナット２３によって鋼板１３，１４に定着されている。緊張材１５は、コンクリートブロック１１，１２の斜ケーブル５，６が定着された位置の周囲に複数が配置され、均等に近い状態でコンクリートブロック１１，１２に圧縮力が導入されるようになっている。
【００２７】
このような斜ケーブルの定着構造では、斜ケーブル５，６が定着されたコンクリートブロック１１，１２は、緊張材１５の緊張力によって導入された圧縮力と埋め込まれた鉄筋とによって補強され、鋼板１３，１４との接触部に斜ケーブル５，６から作用する引張力を伝達することができるものとなる。また、コンクリートブロック１１，１２と鋼板１３，１４との接触部は、ずれ止め部材であるスタッドジベル２１がコンクリーブロック１１，１２に埋め込まれていることと、緊張材１５の緊張力によって双方が強く圧接されることによって強固に接合され、斜ケーブル５，６から作用する引張力が伝達されるものとなる。そして、第１のコンクリートブロック１１に定着された斜ケーブル５と第２のコンクリートブロック１２に定着された斜ケーブル６との引張力の水平成分が、鋼板１３，１４に対して反対方向に作用し、互いに相殺されて主塔４には大きな水平方向の力が作用しないものとなる。また、斜ケーブル５，６から伝達される引張力の鉛直方向の成分は、上下方向に連続するコンクリートブロック１１，１２によって下方に伝達され、主塔の脚部７から橋桁３を介して橋脚２に伝達されて、斜ケーブル５，６が定着された主塔上部が支持される。
一方、斜ケーブル５，６が定着されたコンクリートブロック１１，１２が２つの鋼板１３，１４に強く挟みつけられるように接合されるので、ケーブル定着部の断面寸法を大きくすることなく強固な構造とすることができる。また、コンクリートブロック１１，１２の形状は簡単なものとなり、施工性も良好なものとなる。
【００２８】
以上に説明した斜ケーブルの定着構造では、コンクリートブロック１１，１２と鋼板１３，１４とのずれ止め部材としてスタッドジベル２１を用いているが、これに代えて他の構造を採用することもできる。
図４は、ずれ止め部材の他の例を用いた定着構造を示す平断面図及び概略斜視図である。
このずれ止め部材は、鋼板１３のコンクリートブロック１１と密接する面に固定されて水平方向に張り出したリブ３１と、このリブ３１に設けられた貫通孔３１ａに挿通された鉄筋３２とを有するものである。リブ３１は、水平方向に長い矩形の板状鋼部材の長辺を溶接によって鋼板に取り付けたものであり、所定の間隔で貫通孔３１ａが形成されている。このようなリブ３１が上下に複数段が設けられ、上記貫通孔３１ａに挿通された鉄筋３２は、複数段のリブ３１に設けられた貫通孔３１ａに連続するように挿通されている。このようなリブ３１及び鉄筋３２を埋め込み、鋼板１３に密接するようにコンクリートを打設することによってコンクリートブロック１１と鋼板１３が強固に一体化される。また、リブ３１によって鋼板１３の剛性が増大し、間隔を開けて配置した複数の緊張材１５によって、鋼板１３がコンクリートブロック１１を挟みつけるように締め付けたときに、鋼板１３とコンクリートブロック１１との間には広い範囲に分布して圧縮力が作用し、コンクリートブロック１１が有効に補強される。
【００２９】
上記リブ３１の貫通孔３１ａに挿通した鉄筋３２に代えて、内側にモルタル又はコンクリートを充填した鋼管（図示しない）を用いることもできる。この鋼管は、それぞれのリブごとに分割された短いものを貫通孔に貫通するものであってもよいが、上記鉄筋３１と同様に複数のリブにわたって連続ものとするのが望ましい。
【００３０】
図５は、本発明にかかる斜ケーブルの定着構造を備えた主塔４に外装を施した例を示す平断面図である。
図２に示す主塔４は、緊張材１５の定着部及び鋼板１３，１４の側面が露出するものとなっているが、外装を施して緊張材１５の定着部及び鋼板１３，１４の防錆は図るとともに、外観を良好なものとすることができる。例えば、図５（ａ）に示すように、本発明の斜ケーブルの定着構造が採用され主塔４の上部を外装用パネル４１で覆うことができる。外装用パネル４１は、例えば塗装を施した鋼板材、アルミニウム板、ステンレス板、プレキャストコンクリート板等を所定の大きさ、形状に成型し、これをボルト４２等によって取り付けたものである。複数の外装用パネル４１の隣接部分には目地材４３等を充填することによって雨水等の侵入を防ぐことができる。
また、図５（ｂ）は、緊張材１５の定着部及び鋼板１３，１４の外側面を覆う外装部４４としてコンクリートを打設したものである。外装部４４のコンクリートは、鋼板１３，１４の外側面に固定されたスタッドジベル等（図示しない）を埋め込むように打設され、鋼板１３，１４と一体となっている。
【００３１】
図６は、本発明の他の実施形態である斜ケーブルの定着構造を示す平断面図である。
この定着構造は、図２及び図３に示す定着構造と同様に、斜ケーブル５５，５６が定着される第１のコンクリートブロック６１及び第２のコンクリートブロック６２と、これらのコンクリートブロックを連結するように設けられた２つの鋼板６３，６４と、これらの鋼板６３，６４とコンクリートブロック６１，６２とを締め付ける緊張材６５と、を有するものである。そして、２つのコンクリートブロック６１，６２は、橋軸方向に間隔をあけて配列され、一方側へ張架される斜ケーブル５５が第１のコンクリートブロック６１に定着され、他方側へ張架される斜ケーブル５６が第２のコンクリートブロック６２に定着される点も共通するものである。
【００３２】
一方、本定着構造では、第１のコンクリートブロック６１及び第２のコンクリートブロック６２との両側に配置されて双方のコンクリートブロック６１，６２を連結するように設けられた鋼板６３，６４の外側面つまりコンクリートブロック６１，６２と密接する面と反対側の面と密接するように外側コンクリート部７１が設けられている。この外側コンクリート７１部は、鋼板６３，６４の橋軸方向における第１のコンクリートブロック６１及び第２のコンクリートブロック６２と結合される領域と対応して設けられ、外側コンクリート部７１と第１のコンクリートブロック６１又は第２のコンクリートブロック６２との間に鋼板６３，６４を挟むように形成されている。そして、上記緊張材６５は鋼板６３，６４とコンクリートブロック６１，６２を貫通して上記外側コンクリート部７１に定着されている。したがって、緊張材６５に緊張力を導入して定着されたときに、反力は外側コンクリート部７１に作用し、広く分布して鋼板６３，６４をコンクリートブロック６１，６２に押し付ける。これにより、双方の鋼板６３，６４とコンクリートブロック６１，６２との接触面に作用する押圧力は広く分布した状態で導入される。
【００３３】
上記外側コンクリート部７１には、上記第１のコンクリートブロック６１及び第２のコンクリートブロック６２と同様に鉄筋（図示しない）が埋め込むように配置されている。また、鋼板６３，６４の外側面の該外側コンクリート部７１が密接される領域にはスタッドジベル等のずれ止め部材が設けられており、外側コンクリート部７１と鋼板６３，６４を一体に結合するものとなっている。また、緊張材６５の定着部６５ａは、緊張力の導入後にコンクリートによって埋め込むことができるものとなっており、緊張材及び定着具の腐食が防止される。
【００３４】
なお、本発明は上記の実施の形態に限定されるものではなく、本発明の範囲内で他の形態として実施することができる。
例えば、本実施の形態では、エクストラドーズド形式の斜張橋に適用したが、エクストラドーズド形式の斜張橋に限定されるものではなく、高い主塔と剛性の小さい橋桁を有する斜張橋に適用することもできる。また、斜ケーブルの本数、配置する角度等は適宜に決定することができ、これに対応して主塔の形状及び寸法は適宜に設計することができる。
また、上記実施の形態で採用したコンクリートブロックは、主塔を形成する所定の位置で打設するものであったが、あらかじめ鋼板と一体となるように打設したコンクリートで形成することもできる。また、コンクリートは、超高強度繊維補強コンクリート（例えば、商品名：「ダクタル」、「サクセム」）を用い、コンクリートブロックに配置する鉄筋を省略又は低減することもできる。
【符号の説明】
【００３５】
１：橋台、    ２：橋脚、    ３：橋桁、    ４：主塔、    ５，６：斜ケーブル、７：主塔の脚部、    ８：主塔のケーブル定着部、
１１，１２：コンクリートブロック、    １３，１４：鋼板、    １５：緊張材、    １６：２つのコンクリートブロックと２つの鋼板とで囲まれた空間、    １７：管部材、    １８：斜ケーブルの定着具、    １９：鋼板の分割線、
２１：スタッドジベル、    ２２：支圧板、    ２３：ナット、
３１：リブ、    ３１ａ：リブに設けられた貫通孔、    ３２：鉄筋、
４１：外装用パネル、    ４２：外装用パネルを固定するボルト、    ４３：目地材、    ４４：コンクリートからなる外装部、
５４：主塔、    ５５，５６：斜ケーブル、
６１，６２：コンクリートブロック、    ６３，６４：鋼板、    ６５：緊張材、    
７１：外側コンクリート部
【図１】
0006346847.tif 000002
【図２】
0006346847.tif 000003
【図３】
0006346847.tif 000004
【図４】
0006346847.tif 000005
【図５】
0006346847.tif 000006
【図６】
0006346847.tif 000007